(57)【要約】【課題】  プラテンガラス上にセットされた読取対象に対して光を照射しながら副走査方向に走査する走査装置と、前記読取対象で反射された光を受光して読取対象の画データを読み取るＣＣＤセンサと、を具備した画像読取装置において、安価な構成で走査装置により読取走査された読取対象の画データの歪を補正することを課題とする。【解決手段】  走査装置２を走査させてＣＣＤセンサ４でプラテンガラス８上の読取対象３０とプラテンガラス８に主走査方向一端部に取り付けた被検出体１１の目印とを読み取り、読み取った目印の画データのピッチが等間隔で一定値となる区間と、一定値から外れる区間とがある場合、該一定値から外れる区間は一定値となるようにデータ上で副走査方向長さを伸縮する補正式を作成して、読み取ったプラテンガラス８上の読取対象３０の画データを前記補正式を用いて補正する制御手段（制御プログラム）と、を備えた画像読取装置１とする。【選択図】  図１
2006222781.tif 000002
【特許請求の範囲】
【請求項１】
プラテンガラス上にセットされた読取対象に対して光を照射しながら副走査方向に走査する走査装置と、
前記読取対象で反射された光を受光して読取対象の画データを読み取るＣＣＤセンサと、
を具備した画像読取装置において、
長手方向に等間隔に着色された目印を有し、該長手方向を副走査方向に向けてプラテンガラスの主走査方向一端部若しくはその近傍に取り付けられた被検出体と、
前記走査装置を走査させて前記ＣＣＤセンサで前記プラテンガラス上の読取対象と前記被検出体の目印とを読み取り、この読み取った目印の画データのピッチが等間隔で一定値となる区間と、一定値から外れる区間とがある場合、該一定値から外れる区間は一定値となるようにデータ上で副走査方向長さを伸縮する補正式を作成して、読み取ったプラテンガラス上の読取対象の画データを前記補正式を用いて補正する制御手段と、
を備えたことを特徴とする画像読取装置。
【請求項２】
プラテンガラス上にセットされた読取対象に対して光を照射しながら副走査方向に走査する走査装置と、
前記読取対象で反射された光を受光して読取対象の画データを読み取るＣＣＤセンサと、
を具備した画像読取装置において、
長手方向に等間隔に着色された目印を有し、該長手方向を副走査方向に向けてプラテンガラスの主走査方向一端部若しくはその近傍に取り付けられた被検出体と、
前記走査装置をプレ走査させて前記ＣＣＤセンサで前記被検出体の目印を読み取り、この読み取った目印の画データのピッチが等間隔で一定値となる区間と、一定値から外れる区間とがある場合、該一定値から外れる区間は一定値となるようにデータ上で副走査方向長さを伸縮する補正式を作成しておき、前記走査装置を走査させて前記ＣＣＤセンサで前記プラテンガラス上の読取対象を読み取ったときに、この読み取ったプラテンガラス上の読取対象の画データを前記補正式を用いて補正する制御手段と、
を備えたことを特徴とする画像読取装置。
【請求項３】
プラテンガラス上にセットされた読取対象に対して光を照射しながら副走査方向に走査する走査装置と、
前記読取対象で反射された光を受光して読取対象の画データを読み取るＣＣＤセンサと、
を具備した画像読取装置において、
長手方向に等間隔に着色された目印を有し、該長手方向を副走査方向に向けてプラテンガラスの主走査方向一端部若しくはその近傍に取り付けられた被検出体と、
前記走査装置に取り付けられて、前記被検出体の目印を検出する検出手段と、
前記走査装置を走査させて前記ＣＣＤセンサで前記プラテンガラス上の読取対象を読み取るとともに前記検出手段で前記被検出体の目印を検出し、この検出した目印の画データのピッチが等間隔で一定値となる区間と、一定値から外れる区間とがある場合、該一定値から外れる区間は一定値となるようにデータ上で副走査方向長さを伸縮する補正式を作成して、読み取ったプラテンガラス上の読取対象の画データを前記補正式を用いて補正する制御手段と、
を備えたことを特徴とする画像読取装置。
【請求項４】
プラテンガラス上にセットされた読取対象に対して光を照射しながら副走査方向に走査する走査装置と、
前記読取対象で反射された光を受光して読取対象の画データを読み取るＣＣＤセンサと、
を具備した画像読取装置において、
長手方向に等間隔に着色された目印を有し、該長手方向を副走査方向に向けてプラテンガラスの主走査方向一端部若しくはその近傍に取り付けられた被検出体と、
前記走査装置に取り付けられて、前記被検出体の目印を検出する検出手段と、
前記走査装置をプレ走査させて前記検出手段で前記被検出体の目印を検出し、この検出した目印の画データのピッチが等間隔で一定値となる区間と、一定値から外れる区間とがある場合、該一定値から外れる区間は一定値となるようにデータ上で副走査方向長さを伸縮する補正式を作成しておき、前記走査装置を走査させて前記ＣＣＤセンサで前記プラテンガラス上の読取対象を読み取ったときに、この読み取ったプラテンガラス上の読取対象の画データを前記補正式を用いて補正する制御手段と、
を備えたことを特徴とする画像読取装置。
【請求項５】
前記被検出体の目印は副走査方向に連続する縞模様で形成されたことを特徴とする請求項１から請求項４のうち何れか一項に記載の画像読取装置。
【請求項６】
前記縞模様は副走査方向に等間隔の２色で塗り分けられたことを特徴とする請求項５に記載の画像読取装置。
【発明の詳細な説明】
【技術分野】
【０００１】
本発明は、コピー機やファクシミリ装置等が具備する画像読取装置の走査装置により読取走査された画データの歪を補正するための制御技術に関する。
【背景技術】
【０００２】
コピー機やファクシミリ装置等が具備する画像読取装置は、読取光源を搭載した走査装置を副走査方向に等速移動させながら、プラテンガラス上にセットされた読取対象（原稿等）に対して読取光を照射し、その反射光をＣＣＤセンサで受光して読取対象の画像を読み取るように構成されている。
【０００３】
この読み取られた画像は副走査方向に画像ムラが生じていることがあり、この画像ムラは走査装置の速度ムラや走査装置を駆動するステッピングモータの振動等によって決まる。従って、画像の読み取り精度を良くしようとすると、走査装置の速度ムラやステッピングモータの振動等を抑える必要があり、しかしながら、それには技術的に限界がある。
【０００４】
そこで、特許文献１に開示されている画像読取装置では、副走査速度の変動を検出することで、この検出結果に基づいて読み取られた画データを補正することで、変動による歪みが修正された画データを得ることができるように構成されている。
【０００５】
具体的には、写真フィルムを保持するホルダに、副走査方向と平行な第１の直線と、副走査方向に対して斜めの第２の直線とが透光性ベース上に記録された基準チャートを保持させ、この基準チャートを、走査装置に取り付けたラインセンサによってフィルム画像とともに読み取るように構成されている。この第１の直線の読み取り結果には、主走査方向に対する振れが影響し、第２の直線の読み取り結果には、主走査方向の振れと副走査速度の変動とが影響して、第２の直線の読み取り結果と、第１の直線の読み取り結果との差成分として、副走査速度の変動を検出するように構成されている。
【特許文献１】特開平６−２０５１６９号公報
【発明の開示】
【発明が解決しようとする課題】
【０００６】
本発明では、特許文献１とは全く異なる構成で、安価な構成で走査装置により読取走査された読取対象の画データの歪を補正することができる画像読取装置を提供することを課題とする。
【課題を解決するための手段】
【０００７】
本発明の解決しようとする課題は以上のとおりであり、次にこの課題を解決するための手段を説明する。
まず、請求項１に記載のように、プラテンガラス上にセットされた読取対象に対して光を照射しながら副走査方向に走査する走査装置と、前記読取対象で反射された光を受光して読取対象の画データを読み取るＣＣＤセンサと、を具備した画像読取装置において、長手方向に等間隔に着色された目印を有し、該長手方向を副走査方向に向けてプラテンガラスの主走査方向一端部若しくはその近傍に取り付けられた被検出体と、前記走査装置を走査させて前記ＣＣＤセンサで前記プラテンガラス上の読取対象と前記被検出体の目印とを読み取り、この読み取った目印の画データのピッチが等間隔で一定値となる区間と、一定値から外れる区間とがある場合、該一定値から外れる区間は一定値となるようにデータ上で副走査方向長さを伸縮する補正式を作成して、読み取ったプラテンガラス上の読取対象の画データを前記補正式を用いて補正する制御手段と、を備えた構成とする。
【０００８】
または、請求項２に記載のように、プラテンガラス上にセットされた読取対象に対して光を照射しながら副走査方向に走査する走査装置と、前記読取対象で反射された光を受光して読取対象の画データを読み取るＣＣＤセンサと、を具備した画像読取装置において、長手方向に等間隔に着色された目印を有し、該長手方向を副走査方向に向けてプラテンガラスの主走査方向一端部若しくはその近傍に取り付けられた被検出体と、前記走査装置をプレ走査させて前記ＣＣＤセンサで前記被検出体の目印を読み取り、この読み取った目印の画データのピッチが等間隔で一定値となる区間と、一定値から外れる区間とがある場合、該一定値から外れる区間は一定値となるようにデータ上で副走査方向長さを伸縮する補正式を作成しておき、前記走査装置を走査させて前記ＣＣＤセンサで前記プラテンガラス上の読取対象を読み取ったときに、この読み取ったプラテンガラス上の読取対象の画データを前記補正式を用いて補正する制御手段と、を備えた構成とする。
【０００９】
そして、請求項３に記載のように、プラテンガラス上にセットされた読取対象に対して光を照射しながら副走査方向に走査する走査装置と、前記読取対象で反射された光を受光して読取対象の画データを読み取るＣＣＤセンサと、を具備した画像読取装置において、長手方向に等間隔に着色された目印を有し、該長手方向を副走査方向に向けてプラテンガラスの主走査方向一端部若しくはその近傍に取り付けられた被検出体と、前記走査装置に取り付けられて、前記被検出体の目印を検出する検出手段と、前記走査装置を走査させて前記ＣＣＤセンサで前記プラテンガラス上の読取対象を読み取るとともに前記検出手段で前記被検出体の目印を検出し、この検出した目印の画データのピッチが等間隔で一定値となる区間と、一定値から外れる区間とがある場合、該一定値から外れる区間は一定値となるようにデータ上で副走査方向長さを伸縮する補正式を作成して、読み取ったプラテンガラス上の読取対象の画データを前記補正式を用いて補正する制御手段と、を備えた構成とする。
【００１０】
または、請求項４に記載のように、プラテンガラス上にセットされた読取対象に対して光を照射しながら副走査方向に走査する走査装置と、前記読取対象で反射された光を受光して読取対象の画データを読み取るＣＣＤセンサと、を具備した画像読取装置において、長手方向に等間隔に着色された目印を有し、該長手方向を副走査方向に向けてプラテンガラスの主走査方向一端部若しくはその近傍に取り付けられた被検出体と、前記走査装置に取り付けられて、前記被検出体の目印を検出する検出手段と、前記走査装置をプレ走査させて前記検出手段で前記被検出体の目印を検出し、この検出した目印の画データのピッチが等間隔で一定値となる区間と、一定値から外れる区間とがある場合、該一定値から外れる区間は一定値となるようにデータ上で副走査方向長さを伸縮する補正式を作成しておき、前記走査装置を走査させて前記ＣＣＤセンサで前記プラテンガラス上の読取対象を読み取ったときに、この読み取ったプラテンガラス上の読取対象の画データを前記補正式を用いて補正する制御手段と、を備えた構成とする。
【００１１】
そして、請求項５に記載のように、前記被検出体の目印は副走査方向に連続する縞模様で形成された構成とする。
【００１２】
さらに、請求項６に記載のように、前記縞模様は副走査方向に等間隔の２色で塗り分けられた構成とする。
【発明の効果】
【００１３】
本発明は、以上のように構成したことにより、次のような効果を奏する。
まず、請求項１に記載の発明では、従来の画像読取装置が具備する既存の部材（走査装置、ＣＣＤセンサ、制御装置等）と、プラテンガラスの主走査方向一端部若しくはその近傍に取り付けた被検出体と、既存の制御装置に組み込んだ画データの歪の補正に係るプログラム（制御手段）と、により安価な構成で、走査装置により読取走査された読取対象の画データの歪を補正することができる。この発明では、走査装置によりプラテンガラス上の読取対象を読取走査する度に補正式を作成して、該補正式を用いて該読取対象の画データを補正するので読取精度が向上する。
【００１４】
また、請求項２に記載の発明でも、従来の画像読取装置が具備する既存の部材（走査装置、ＣＣＤセンサ、制御装置等）と、プラテンガラスの主走査方向一端部若しくはその近傍に取り付けた被検出体と、既存の制御装置に組み込んだ画データの歪の補正に係るプログラム（制御手段）と、により安価な構成で、走査装置により読取走査された読取対象の画データの歪を補正することができる。この発明では、走査装置によるプレ走査により予め補正式を作成しておいて、走査装置によりプラテンガラス上の読取対象を読取走査するときには、予め作成した補正式を用いて該読取対象の画データを補正するので読取処理時間の短縮を図ることができる。
【００１５】
また、請求項３に記載の発明では、従来の画像読取装置が具備する既存の部材（走査装置、ＣＣＤセンサ、制御装置等）と、プラテンガラスの主走査方向一端部若しくはその近傍に取り付けた被検出体と、走査装置に取り付けられた検出手段と、既存の制御装置に組み込んだ画データの歪の補正に係るプログラム（制御手段）と、により安価な構成で、走査装置により読取走査された読取対象の画データの歪を補正することができる。この発明では、走査装置によりプラテンガラス上の読取対象を読取走査する度に補正式を作成して、該補正式を用いて該読取対象の画データを補正するので読取精度が向上する。
【００１６】
また、請求項４に記載の発明でも、従来の画像読取装置が具備する既存の部材（走査装置、ＣＣＤセンサ、制御装置等）と、プラテンガラスの主走査方向一端部若しくはその近傍に取り付けた被検出体と、走査装置に取り付けられた検出手段と、既存の制御装置に組み込んだ画データの歪の補正に係るプログラム（制御手段）と、により安価な構成で、走査装置により読取走査された読取対象の画データの歪を補正することができる。この発明では、走査装置によるプレ走査により予め補正式を作成しておいて、走査装置によりプラテンガラス上の読取対象を読取走査するときには、予め作成した補正式を用いて該読取対象の画データを補正するので読取処理時間の短縮を図ることができる。
【００１７】
そして、請求項５に記載の発明では、前記被検出体の目印を副走査方向に連続する縞模様で形成したことで、この縞模様のピッチを読み取って（又は検出して）、この読み取った（又は検出した）縞模様の画データのピッチに基づき読取対象の画データの補正が行われるように構成されて、請求項１から請求項４の発明のうち何れか一つの発明と同様の効果を奏する。
【００１８】
また、請求項６に記載の発明では、前記縞模様は副走査方向に等間隔の２色で塗り分けられた構成としたことで、読み取られる（又は検出される）ピッチはそれぞれの色の区間（一方の色が検出されてから他方の色が検出されるまでの区間と、他方の色が検出されてから一方の色が検出されるまでの区間）で構成されて、請求項５の発明と同様の効果を奏する。
【発明を実施するための最良の形態】
【００１９】
次に、本発明の実施の一形態を、図面を参照しながら説明する。
図１、図２に示すように、コピー機やファクシミリ装置等が具備する画像読取装置１は、装置本体フレームを構成する筐体１０と、筐体１０の上面に取り付けられたプラテンガラス８と、プラテンガラス８上にセットされた原稿等の読取対象３０に対して光を照射しながら副走査方向に走査する走査装置２と、読取対象３０で反射された光を受光して読取対象３０の画データを読み取るＣＣＤ（電荷結合素子：ｃｈａｒｇｅ  ｃｏｕｐｌｅｄ  ｄｅｖｉｃｅ）センサ４と、プラテンガラス８を開閉自在に覆うプラテンカバー（図示略）と、を備え、該プラテンカバーを閉じた状態で、プラテンガラス８上にセットした読取対象３０の画データを読み取るように構成されている。
【００２０】
走査装置２は、筐体１０内部のプラテンガラス８下方で副走査方向に往復移動するフルレートキャリッジ２１とハーフレートキャリッジ２２とから成り、該ハーフレートキャリッジ２２は該フルレートキャリッジ２１の外側（ホームセンサ６側）に配置されている。フルレートキャリッジ２１には、プラテンガラス８上にセットされた読取対象３０に対してプラテンガラス８の主走査方向に線状の一条の読取光を照射する蛍光灯ランプ等の読取光源２０と、該読取対象３０で反射された光を水平方向にハーフレートキャリッジ２２側に反射する第１ミラー２６と、が搭載されており、ハーフレートキャリッジ２２には、該第１ミラー２６で反射された光を鉛直下方に反射する第２ミラー２７と、該第２ミラー２７で反射された光を水平方向にＣＣＤセンサ４側に反射する第３ミラー２８とが搭載されて、該第３ミラー２８で反射された光はレンズ３を介してＣＣＤセンサ４で受光されるように構成されている。
また、筐体１０内部にはフルレートキャリッジ２１が筐体１０内の副走査方向一端のホームポジションに位置するか否かを検出する検出手段であるホームセンサ６が取り付けられている。
【００２１】
前記フルレートキャリッジ２１とハーフレートキャリッジ２２とを駆動するための駆動装置は、駆動源であるステッピングモータ９（図３参照）と、筐体１０内部の副走査方向一側端部に配置されてステッピングモータ９により駆動される駆動軸と、該駆動軸に取り付けられた歯付きの大径プーリと小径プーリと、筐体１０内部の副走査方向他側端部に配置された従動軸と、該従動軸に取り付けられた歯付きの大径プーリと小径プーリと、該駆動軸の大径プーリと該従動軸の大径プーリとに巻回された歯付きの外ベルトと、該駆動軸の小径プーリと該従動軸の小径プーリとに巻回された歯付きの内ベルトと、を備え、該外ベルトにフルレートキャリッジ２１が取り付けられ、該内ベルトにハーフレートキャリッジ２２が取り付けられている。そして、駆動軸の大径プーリと小径プーリの直径を２：１の比率に形成するとともに、従動軸の大径プーリと小径プーリの直径を２：１の比率に形成して、フルレートキャリッジ２１の速度に対して、ハーフレートキャリッジ２２を半分の速度で駆動するように構成している。
【００２２】
この画像読取装置１においては、副走査方向に定速で移動するフルレートキャリッジ２１と、フルレートキャリッジ２１の半分の速度で移動するハーフレートキャリッジ２２とを連動させて往復移動させ、プラテンガラス８上にセットした原稿等の読取対象３０の画像面に向けてフルレートキャリッジ２１の読取光源２０から読取光を照射する。そして、読取対象３０の画像面で反射された読取光はフルレートキャリッジ２１の第１ミラー２６と、ハーフレートキャリッジ２２の第２ミラー２７と第３ミラー２８と、を介して筐体１０内部の副走査方向他側部側へ向けて反射されて、第３ミラー２８で反射された読取光をレンズ３を介してＣＣＤセンサ４に結像させ、光情報を電気信号に変換したデジタル信号を生成するように構成されている。
【００２３】
そうして、プラテンガラス８の主走査方向一端部若しくはその近傍のプラテンガラス８の主走査方向一端部外側の筐体の裏面には長手方向を副走査方向に向けた被検出体１１が取り付けられている。この被検出体１１は長手方向に等間隔に着色された目印を有し、プラテンガラス８の副走査方向両端間に配置されている。この被検出体１１は走査装置２を走査させてＣＣＤセンサ４で読み取った読取対象３０の画データの副走査方向の歪を補正するためのものであり、次のように画像読取装置１のコントローラ５に組み込まれた制御プログラムによってＣＣＤセンサ４で読み取った読取対象３０の画データの補正が行われる。
【００２４】
図３に示すように、前記ＣＣＤセンサ４、ホームセンサ６、ステピングモータ９、読取光源２０等が画像読取装置１のコントローラ５に通信接続されて、該コントローラ５により各機器が制御されている。このコントローラ５には、読取光源２０を点灯させた状態で走査装置２を走査させてＣＣＤセンサ４でプラテンガラス８上の読取対象３０と被検出体１１の目印とを読み取らせ、この読み取った目印の画データのピッチが等間隔で一定値となる区間と、一定値から外れる区間とがある場合、該一定値から外れる区間は一定値となるようにデータ上で副走査方向長さを伸縮する補正式を作成して、読み取ったプラテンガラス８上の読取対象３０の画データを前記補正式を用いて補正する制御手段としての制御プログラムが組み込まれている。
【００２５】
図１、図４（ａ）に示すように、具体的には、前記被検出体１１の目印は副走査方向に連続する縞模様で形成されていて、該縞模様は副走査方向に等間隔（ａピクセル）の２色で塗り分けられているものとして、読取手段であるＣＣＤセンサ４では２色のうち一方の色が検出されてから他方の色が検出されるまでの区間を１ピッチ（ａピクセル）として読み取るように構成されている。
【００２６】
図４（ａ）は実際の被検出体１１のピッチで、図４（ｂ）はＣＣＤセンサ４によって読み取られたデータ上の被検出体１１のピッチであり、実際の被検出体１１のピッチは等間隔に配置されているが、走査装置２の速度ムラ等が原因でＣＣＤセンサ４によって読み取られたデータ上の被検出体１１のピッチが等間隔の一定値（ａピクセル）とならない区間があり、ピッチ幅がｂ（ｂ＜ａ）ピクセルとなる区間では、該区間のデータにａ／ｂを掛け合わせてデータ上で副走査方向長さを伸ばす補正式を作成し、ピッチ幅がｃ（ｃ＞ａ）ピクセルとなる区間では、該区間のデータにａ／ｃを掛け合わせてデータ上で副走査方向長さを縮める補正式を作成して、ＣＣＤセンサ４で読み取ったプラテンガラス８上の読取対象３０の画データをこれらの補正式を用いて補正することで、副走査方向の歪を解消するようにしている。
【００２７】
なお、被検出体１１の目印は、上記構成に限らず、図５に示す構成や、図６に示す構成などでもよく、特に限定するのものではない。
【００２８】
図５（ａ）に示す被検出体１２の目印は副走査方向に連続する縞模様で形成されていて、該縞模様は副走査方向に等間隔（ｄピクセル）を空けて素地と異なる色で縦線（主走査方向の線）が引かれているものとして、読取手段であるＣＣＤセンサ４ではこの縦線が検出されてから次の縦線が検出されるまでの区間を１ピッチ（ｄピクセル）として読み取るように構成されている。そして、読み取ったピッチ幅がｅ（ｅ＜ｄ）ピクセルとなる区間では、該区間のデータにｄ／ｅを掛け合わせてデータ上で副走査方向長さを伸ばす補正式を作成し、ピッチ幅がｆ（ｆ＞ｄ）ピクセルとなる区間では、該区間のデータにｄ／ｆを掛け合わせてデータ上で副走査方向長さを縮める補正式を作成して、ＣＣＤセンサ４で読み取ったプラテンガラス８上の読取対象３０の画データをこれらの補正式を用いて補正することで、副走査方向の歪を解消する。
【００２９】
また、図６（ａ）に示す被検出体１３の目印は副走査方向に等間隔（ｇピクセル）を空けて素地と異なる色でマークが付されているものとして、読取手段であるＣＣＤセンサ４ではこのマークが検出されてから次のマークが検出されるまでの区間を１ピッチ（ｇピクセル）として読み取るように構成されている。そして、読み取ったピッチ幅がｈ（ｈ＜ｇ）ピクセルとなる区間では、該区間のデータにｇ／ｈを掛け合わせてデータ上で副走査方向長さを伸ばす補正式を作成し、ピッチ幅がｊ（ｊ＞ｇ）ピクセルとなる区間では、該区間のデータにｇ／ｊを掛け合わせてデータ上で副走査方向長さを縮める補正式を作成して、ＣＣＤセンサ４で読み取ったプラテンガラス８上の読取対象３０の画データをこれらの補正式を用いて補正することで、副走査方向の歪を解消する。
【００３０】
以上、被検出体１１・１２・１３について３つの実施例を説明したが、この被検出体１１（又は１２、１３）の素地と縞（マーク）との２色は、例えば、白と黒、白と赤、無色透明と黒等や、あるいは、赤とシアン、緑とマゼンダ、青と黄等補色関係にある色同士で構成されており、この２色の色の組み合わせは特に限定するものではない。また、この被検出体１１（又は１２、１３）上の着色は２色以上であってもよく、所定のピッチ毎（例えば、１０ピッチ毎）に２色（第１の色と第２の色）以外の第３の色で縞（マーク）を着色して、１ピッチ毎の小区間を読み取るとともに、所定ピッチ毎の大区間を読み取るように構成して、二重のチェックで副走査方向の歪を検出するように構成してもよい。
【００３１】
以上のように構成された本発明の画像読取装置１は、従来の画像読取装置が具備する既存の部材（走査装置２、ＣＣＤセンサ４、コントローラ５等）と、プラテンガラス８の主走査方向一端部に取り付けた被検出体１１（又は１２、１３）と、既存のコントローラ５に組み込んだ画データの歪の補正に係る制御プログラムと、により安価な構成で、走査装置２により読取走査された読取対象３０の画データの歪を補正することができる。この画像読取装置１では、走査装置２によりプラテンガラス８上の読取対象３０を読取走査する度に補正式を作成して、該補正式を用いて該読取対象３０の画データを補正するので読取精度が向上する。
【００３２】
なお、画データの歪の補正に係る制御手段である制御プログラムは、走査装置２をプレ走査させてＣＣＤセンサ４で被検出体１１（又は１２、１３）の目印を読み取り、この読み取った目印の画データのピッチが等間隔で一定値となる区間と、一定値から外れる区間とがある場合、該一定値から外れる区間は一定値となるようにデータ上で副走査方向長さを伸縮する補正式を作成しておき、そして、前記走査装置２を走査させてＣＣＤセンサ４でプラテンガラス８上の読取対象３０を読み取ったときに、この読み取ったプラテンガラス８上の読取対象３０の画データを前記補正式を用いて補正するように構成してもよい。このプレ走査による補正式の作成は、例えば、画像読取装置１の電源が投入されたときや、画像読取装置１が省エネルギーモードに移行したとき、毎朝９時など予め設定された所定日時に行われるように構成されるものとする。
【００３３】
この構成では、走査装置２によるプレ走査により予め補正式を作成しておいて、走査装置２によりプラテンガラス８上の読取対象３０を読取走査するときには、予め作成した補正式を用いて該読取対象３０の画データを補正するので読取処理時間の短縮を図ることができる。
【００３４】
また、上記の構成では、プラテンガラス８に取り付けられた被検出体１１（又は１２、１３）の目印を、走査装置２を走査させてＣＣＤセンサ４で読み取るように構成しているが、このＣＣＤセンサ４の替わりに、走査装置２のフルレートキャリッジ２１の上面（プラテンガラス８と対向する面）にラインセンサ４０等の検出手段を取り付けて、該ラインセンサ４０により直接被検出体１１（又は１２、１３）の目印を読み取るように構成してもよい。
【００３５】
次に、画像読取装置１の別実施形態を説明する。
図７に示すように、この画像読取装置１では、被検出体１１（又は１２、１３）の目印をフルレートキャリッジ２１の上面のラインセンサ４０で検出するように構成されており、該ラインセンサ４０は長手方向を副走査方向に向けて、フルレートキャリッジ２１の上面における主走査方向一端部に取り付けられて、該フルレートキャリッジ２１を走査させたときに、該ラインセンサ４０がプラテンガラス８上の被検出体１１（又は１２、１３）の直下方に位置するように構成されている。
【００３６】
この構成の場合も、コントローラ５に組み込まれる画データの歪の補正に係る制御手段である制御プログラムは、走査装置２を走査させてＣＣＤセンサ４でプラテンガラス８上の読取対象３０を読み取るとともにラインセンサ４０で被検出体１１（又は１２、１３）の目印を検出し、この検出した目印の画データのピッチが等間隔で一定値となる区間と、一定値から外れる区間とがある場合、該一定値から外れる区間は一定値となるようにデータ上で副走査方向長さを伸縮する補正式を作成して、読み取ったプラテンガラス８上の読取対象３０の画データを前記補正式を用いて補正するように構成されている。
【００３７】
以上のような構成で、従来の画像読取装置が具備する既存の部材（走査装置２、ＣＣＤセンサ４、コントローラ５等）と、プラテンガラス８の主走査方向一端部に取り付けた被検出体１１（又は１２、１３）と、走査装置２に取り付けられた検出手段であるラインセンサ４０と、既存のコントローラ５に組み込んだ画データの歪の補正に係る制御プログラムと、により安価な構成で、走査装置２により読取走査された読取対象３０の画データの歪を補正することができる。この構成では、走査装置２によりプラテンガラス８上の読取対象３０を読取走査する度に補正式を作成して、該補正式を用いて該読取対象の画データを補正するので読取精度が向上する。
【００３８】
あるいは、この構成の場合も、コントローラ５に組み込まれる画データの歪の補正に係る制御手段である制御プログラムを、走査装置２をプレ走査させてラインセンサ４０で被検出体１１（又は１２、１３）の目印を検出し、この検出した目印の画データのピッチが等間隔で一定値となる区間と、一定値から外れる区間とがある場合、該一定値から外れる区間は一定値となるようにデータ上で副走査方向長さを伸縮する補正式を作成しておき、そして、前記走査装置２を走査させてＣＣＤセンサ４でプラテンガラス８上の読取対象３０を読み取ったときに、この読み取ったプラテンガラス８上の読取対象３０の画データを前記補正式を用いて補正するように構成してもよい。このプレ走査による補正式の作成は、例えば、画像読取装置１の電源が投入されたときや、画像読取装置１が省エネルギーモードに移行したとき、毎朝９時など予め設定された所定日時に行われるように構成されるものとする。
【００３９】
この構成では、走査装置２によるプレ走査により予め補正式を作成しておいて、走査装置２によりプラテンガラス８上の読取対象３０を読取走査するときには、予め作成した補正式を用いて該読取対象３０の画データを補正するので読取処理時間の短縮を図ることができる。
【図面の簡単な説明】
【００４０】
【図１】画像読取装置１の概略構成を示す平面図。
【図２】画像読取装置１の概略構成を示す側面断面図。（ａ）はキャリッジ２１・２２がホームポジションにあるときの図。（ｂ）はキャリッジ２１・２２が副走査方向へ向けて移動しているときの図。
【図３】画像読取装置１の制御構成を示すブロック図。
【図４】（ａ）は実際の被検出体１１のピッチを示す図。（ｂ）はＣＣＤセンサ４によって読み取られたデータ上の被検出体１１のピッチを示す図。
【図５】（ａ）は実際の被検出体１２のピッチを示す図。（ｂ）はＣＣＤセンサ４によって読み取られたデータ上の被検出体１２のピッチを示す図。
【図６】（ａ）は実際の被検出体１３のピッチを示す図。（ｂ）はＣＣＤセンサ４によって読み取られたデータ上の被検出体１３のピッチを示す図。
【図７】別実施形態に係る画像読取装置１の概略構成を示す側面断面図。（ａ）はキャリッジ２１・２２がホームポジションにあるときの図。（ｂ）はキャリッジ２１・２２が副走査方向へ向けて移動しているときの図。
【符号の説明】
【００４１】
１    画像読取装置
２    走査装置
３    レンズ
４    ＣＣＤセンサ
５    コントローラ
６    ホームセンサ
８    プラテンガラス
９    ステッピングモータ
１０    筐体
１１    被検出体
１２    被検出体
１３    被検出体
２０    読取光源
２１    フルレートキャリッジ
２２    ハーフレートキャリッジ
２６    第１ミラー
２７    第２ミラー
２８    第３ミラー
３０    読取対象
【図１】
2006222781.tif 000003
【図２】
2006222781.tif 000004
【図３】
2006222781.tif 000005
【図４】
2006222781.tif 000006
【図５】
2006222781.tif 000007
【図６】
2006222781.tif 000008
【図７】
2006222781.tif 000009